(57)【特許請求の範囲】
【請求項１】
ユーザーの所望する曲を検索可能なデジタル放送受信機において、
複数のチャンネルが多重化されているデジタル放送を受信する受信手段と、
該受信手段により受信し、選択視聴中のチャンネルに含まれる、アーティスト名、タイトル、アルバム名の付加情報を記憶する記憶手段と、
該記憶手段に記憶したアルバム名が含まれる付加情報が付随した曲を放送しているチャンネルの検索を前記受信手段により受信した複数のチャンネルより行なう検索手段と、
該検索手段により検索したチャンネルで放送している曲で、且つ、前記記憶手段に記憶した付加情報に記憶されていない未視聴の曲
を放送しているチャンネルに関する情報を表示する表示手段と、
を備えたことを特徴とするデジタル放送受信機。
【請求項２】
前記検索手段により検索したチャンネルで放送中の曲で、且つ、未視聴の曲を録音する録音手段を更に備えたことを特徴とする請求項１記載のデジタル放送受信機。
【発明の詳細な説明】
【０００１】
【発明の属する技術分野】
本発明はデジタル放送受信機に係り、特に現在視聴している曲が収録されているアルバム中の他の曲を放送中のチャンネルを検索しユーザーに通知するデジタル放送受信機に関する。
【０００２】
【従来の技術】
近年、放送のデジタル化技術の進歩により多種多様なチャンネルによる放送がデジタル放送により可能になった。このような技術の進歩により、従来の放送形態そのものが大きく変化することになり、これに伴いユーザーは、様々な種別のチャンネルの中から所望のチャネルを選局できるようになる。そして、デジタル放送では衛星と地上局より同じ放送を送信し、受信機側で受信状態の良好な方を随時選択して受信するようになっている。
更に、デジタル放送では付加情報として放送中の曲のタイトルやアーティスト名が付加されており、それらの情報を表示することにより現在放送中の曲に関する情報を通知することが可能になっている。
【０００３】
【発明が解決しようとする課題】
しかしながら、ユーザーは現在放送中の曲が収録されているアルバムの他の曲を聞きたいと思っても、どこのチャンネルでアルバム収録の他の曲を放送しているか分からないため、アルバム収録の他の曲を放送しているチャンネルを知るためには、全チャンネルを受信して視聴するか、各チャンネルの番組表を調べなければならず不便であった。
以上から、本発明の目的は現在視聴している曲が収録されているアルバムの他の曲を放送しているチャンネルを検索し、ユーザーに通知するようにしたデジタル放送受信機を提供することである。
【０００４】
【課題を解決するための手段】
上記課題は、本発明によれば、複数のチャンネルを含むデジタル放送を受信し、受信したデジタル放送で放送中の曲の付加情報を記憶し、付加情報に含まれているアルバム名が同一で、且つ視聴したことがない曲を検索し、検索したチャンネルに関する情報を表示することにより達成される。
【０００５】
【発明の実施の形態】
（Ａ）本発明第１の概略説明
図１は本発明の概略説明図であり、現在視聴している曲が収録されているアルバムの他の曲を放送しているチャンネルの検索をユーザーが指示した場合の例である。図中、ＤＲはデジタル放送受信機本体、１１は現在視聴している曲が収録されているアルバムの他の曲を放送中のチャンネルの検索を指示するための検索キー、ボリューム、好みのチャンネルをプリセットするプリセットキー等を含む操作部、１２は表示部であり、現在視聴しているチャンネルの情報を表示する領域であるＮＩＤと、現在視聴している曲が収録されているアルバムの他の曲を放送中のチャンネルが検索された場合にこの検索されたチャンネルの情報を表示する領域であるＡＩＤを含んでいる。
【０００６】
本発明のデジタル放送受信機では、複数のチャンネルを含むデジタル放送を受信し、ユーザーは好みのチャンネルを選局し視聴する。そしてユーザーが現在視聴している曲を収録しているアルバムの他の曲を放送中のチャンネルの検索を、操作部１１より指示すると、他のチャンネルで放送中の曲の付加情報に含まれているアルバム名が現在視聴している曲と同一で、且つ視聴したことがない曲を検索し、その結果、アルバム名が現在視聴している曲と同一で、且つ視聴したことがない曲を放送中のチャンネルが検索された場合、そのチャンネルに関する情報を表示部１２に表示する。
これにより、どこのチャンネルで現在視聴している曲を収録しているアルバムの他の曲を放送中であるかを通知することができる。
【０００７】
（Ｂ）本発明第２の概略説明
本発明のデジタル放送受信機では、複数のチャンネルを含むデジタル放送を受信し、ユーザーは好みのチャンネルを選局し視聴する。そしてユーザーが現在視聴している曲を収録しているアルバムの他の曲を放送中のチャンネルの検索を、操作部１１より指示すると、まず、現在視聴中の曲が収録されているアルバムの情報を取得するために外部のサーバへ接続し、アルバムの情報、例えば収録曲名や曲順を取得しメモリに記憶する。次に、他のチャンネルで放送中の曲の付加情報に含まれているアルバム名が現在視聴している曲と同一で、且つ視聴したことがない曲を検索し、その結果、アルバム名が現在視聴している曲と同一で、且つ視聴したことがない曲を放送中のチャンネルが検索された場合、そのチャンネルに関する情報を表示部１２に表示する。
これにより、どこのチャンネルで現在視聴している曲を収録しているアルバムの他の曲を放送中であるかを通知することができる。
【０００８】
（Ｃ）本発明の第１実施例
（ａ）デジタル放送受信機の構成
図２は本発明のデジタル放送受信機の構成図である。図中１ａは衛星からのデジタル放送を受信するアンテナ、１ｂは地上からのデジタル放送を受信するアンテナ、２はアンテナ１ａ、１ｂを介して受信した信号から受信状態の良好な信号を選択し、所望の受信チャンネル情報を抽出すると共に、この抽出した信号を出力するチューナー部（Ｔｕｎｅｒ）、３はチューナー部２より出力された信号をデジタルデータに変換後、所定の復調処理を行いインタリーブされた受信データを復調する信号復調部である。
【０００９】
４は信号復調部３から出力される送信データのインタリーブを解いて元のデータ列に戻し、その後所定の誤り訂正処理を行って複数のチャネルに対応するチャネル情報等を含むチャネルデータを復元して、後述する制御部９からの指示に基づきユーザーの選択する１つのチャネルに対応するチャネル情報を抽出して出力するチャンネル選択部である。
【００１０】
５はチャンネル選択部４より出力されるチャンネル情報に対して所定の伸長処理を行い、ＰＣＭオーディオデータを出力するオーディオデコード部、６はオーディオデコード部５より出力されるＰＣＭオーディオデータをアナログ信号に変換して出力するデジタル・アナログ変換部（Ｄ／Ａ変換部）である。
【００１１】
７はデジタル・アナログ変換部６より出力されるアナログ信号を所定の増幅率で増幅するアンプ、８はアンプ７により増幅されたアナログ信号に対応する音声を出力するスピーカ、９はデジタル放送受信機全体を制御する制御部、１０は放送を録音するためのストレージであり、例えばミニディスク装置やメモリーカード、１１はユーザーが現在視聴している曲を収録しているアルバムの他の曲を放送中であるチャンネルを検索する操作やチャンネル切替操作等の操作を行うための各種キーを備えている操作部、１２は現在視聴している曲を収録しているアルバムの他の曲を放送中であるチャンネルの情報や現在受信しているチャンネルのチャンネル名等を表示する表示部である。
【００１２】
９ａはシステムコントローラであり、操作部１１からのチャンネル選択や、現在視聴している曲を収録しているアルバムの他の曲を放送中のチャンネル検索指示を処理する。９ｂは現在視聴している曲を収録しているアルバムの他の曲を放送中のチャンネル検索を行うチャンネル検索部、９ｃは現在視聴している曲を収録しているアルバムの他の曲を放送中のチャンネル検索により検索され、視聴した曲の情報やプリセットされたチャンネル等を記憶するメモリ、９ｄは現在視聴している曲を収録しているアルバムの他の曲を放送中のチャンネル情報等の各種画面を表示部１２に表示するための制御を行う表示制御部である。
【００１３】
（ｂ）本発明のデジタル放送のデータ構成
図３は本発明第１実施例におけるデジタル放送のデータ構成の一例を示す図であり、曲のリリース日のデータが格納される領域が用意されている場合である。
図に示すように、複数のチャンネルが１つのデジタル放送信号の中に多重化され、所定のフレーム単位で送信されている。１つのチャンネルは、音楽番組であれば音楽データと番組付加情報とからなり、番組付加情報には、番組名、アーティスト名、タイトル、放送中の曲が収録されているアルバムを示すアルバム名、曲のカテゴリー、曲のリリース日の情報、例えば「２００１／６／１」等のデータが含まれている。
【００１４】
（ｃ）メモリの記憶内容
図４は本発明第１実施例におけるメモリの記憶内容の説明図である。ユーザーが現在視聴している曲を収録しているアルバムの他の曲を放送中のチャンネルの検索を指示したとき、現在視聴中の曲の付加情報よりアルバム名、アーティスト名、タイトルを取得し、（ａ）に示すように記憶する。次に、検索の結果他の曲が検索され、ユーザーが検索された曲を視聴すると（ｂ）に示すように視聴した曲のタイトルを前のデータに付加してメモリに記憶する。
【００１５】
（ｄ）本発明第１実施例のフローチャート
図５は本発明第１実施例のフローチャートである。まず、システムコントローラ９ａ（図２）が操作部１１の検索ボタンが押下されたか否かを判定し（ステップ１０１）、押下されていなければ特に処理は行わない。一方、押下された場合は、受信しているデジタル放送よりシステムコントローラ９ａが現在視聴している曲のタイトル、アーティスト名、アルバム名を付加情報より取得しメモリ９ｃに記憶する（ステップ１０２）。
【００１６】
次にチャンネル検索部９ｂがメモリ９ｃに記憶したアーティスト名、アルバム名と同様の曲を放送しているチャンネルを検索する（ステップ１０３）。ついで、同様の曲を放送しているチャンネルがあったか否かを判定し（ステップ１０４）、該当するチャンネルが無い場合は、ステップ１０３の処理を行なう。一方、該当するチャンネルがあった場合は、そのチャンネルで放送中の曲が既に視聴した曲か否か、メモリ９ｃの記憶内容を参照して判定する（ステップ１０５）。ステップ１０５において、放送中の曲が既に視聴した曲であればステップ１０３の処理を行ない、そうでなければステップ１０３で検索した曲を放送中のチャンネルの情報を表示部１２に表示する（ステップ１０６）。
【００１７】
次に、検索した曲を放送中のチャンネルが選択されたか否かをシステムコントローラ９ａが判定し（ステップ１０７）、選択されなければ何も処理は行なわない。一方選択された場合は選択したチャンネルで放送中の曲名をメモリ９ｃに記憶し、チャンネル選択部４により選択したチャンネルに切替える（ステップ１０８）。
【００１８】
（Ｃ）本発明の第２実施例
（ａ）デジタル放送受信機の構成
図６に本実施例のデジタル放送受信機の構成を示す。尚、図２の構成と同様であり、外部サーバよりアルバム情報を取得するための通信機器が付加されている。
【００１９】
（ｂ）メモリの記憶内容
図７は本発明第２実施例におけるメモリの記憶内容の説明図である。ユーザーが現在視聴している曲を収録しているアルバムの他の曲を放送中のチャンネルの検索を指示したとき、現在視聴中の曲の付加情報よりアルバム名、アーティスト名、タイトルを取得し、取得したアルバム名を基に、そのアルバムの情報を取得するため、外部のサーバへ接続し（ａ）に示すようにアルバム名、アーティスト名、曲番号、曲のタイトルを記憶する。次に、現在視聴中の曲の付加情報より取得した曲のタイトルを（ｂ）に示すように記憶する。更に、検索の結果他の曲が検索され、ユーザーが検索された曲を視聴すると（ｃ）に示すように視聴した曲のタイトルを前のデータに付加してメモリに記憶する。
尚、記憶した曲番号は、例えばユーザーが放送中のアルバムの他の曲を録音し、再生する場合に用いることもできる。
【００２０】
（ｃ）本発明第２実施例のフローチャート
図８は本発明第２実施例のフローチャートである。まず、システムコントローラ９ａ（図２）が操作部１１の検索ボタンが押下されたか否かを判定し（ステップ２０１）、押下されていなければ特に処理は行わない。一方、押下された場合は、受信しているデジタル放送よりシステムコントローラ９ａが現在視聴している曲のタイトル、アーティスト名、アルバム名を付加情報より取得する（ステップ２０２）。
【００２１】
次に通信機器、例えば携帯電話を用い、システムコントローラ９ａがステップ２０２で取得したアルバム名を基に、外部サーバよりアルバムの情報を取得しメモリ９ｃに記憶する（ステップ２０３）。ついで、記憶したアーティスト名、アルバム名と同様の曲を放送しているチャンネルをチャンネル検索部９ｂが検索し（ステップ２０４）、同様の曲を放送しているチャンネルがあったか否かを判定する（ステップ２０５）。ステップ２０５において、該当するチャンネルが無い場合は、ステップ２０４の処理を行ない、該当するチャンネルがあった場合は、そのチャンネルで放送中の曲が既に視聴した曲か否か、メモリ９ｃの記憶内容を参照して判定する（ステップ２０６）。ステップ２０６において、放送中の曲が既に視聴した曲であればステップ２０４の処理を行ない、そうでなければステップ２０４で検索した曲を放送中のチャンネルの情報を表示部１２に表示する（ステップ２０７）。
【００２２】
次に、検索した曲を放送中のチャンネルが選択されたか否かをシステムコントローラ９ａが判定し（ステップ２０８）、選択されなければ何も処理は行なわない。一方選択された場合は選択したチャンネル放送中の曲名をメモリ９ｃに記憶し、チャンネル選択部４により選択したチャンネルに切替える（ステップ２０９）。
【００２３】
（Ｃ）本発明の第３実施例
（ａ）本発明第３実施例のフローチャート
図９は本発明第３実施例のフローチャートである。尚、デジタル放送受信機の構成は図２の構成と同様であり、メモリの記憶内容は図４と同様である。
【００２４】
まず、システムコントローラ９ａ（図２）が操作部１１の検索ボタンが押下されたか否かを判定し（ステップ３０１）、押下されていなければ特に処理は行わない。一方、押下された場合は、受信しているデジタル放送よりシステムコントローラ９ａが現在視聴している曲のタイトル、アーティスト名、アルバム名を付加情報より取得しメモリ９ｃに記憶する（ステップ３０２）。
【００２５】
次にチャンネル検索部９ｂがメモリ９ｃに記憶したアーティスト名、アルバム名と同様の曲を放送しているチャンネルを検索する（ステップ３０３）。ついで、同様の曲を放送しているチャンネルがあったか否かを判定し（ステップ１０４）、該当するチャンネルが無い場合は、ステップ３０３の処理を行なう。一方、該当するチャンネルがあった場合は、そのチャンネルで放送中の曲が既にストレージ１０に録音した曲か否か、ストレージ１０の記憶内容を参照して判定する（ステップ３０５）。ステップ３０５において、放送中の曲が既に録音した曲であればステップ３０３の処理を行ない、そうでなければステップ３０３で検索した曲の録音を開始すると共に放送中のチャンネルの情報を表示部１２に表示する（ステップ３０６）。このとき録音を開始するチャンネルが、現在受信し視聴しているチャンネル以外のチャンネルである場合でも、現在視聴しているチャンネルから録音を開始するチャンネルに切替えて視聴することなく録音を行なうことが可能である。即ち、現在視聴しているチャンネルを視聴し続けながら検索した他のチャンネルで放送中の曲を録音できる。
【００２６】
次に、録音している曲が終了したか否かをシステムコントローラ９ａが判定し（ステップ３０７）、システムコントローラ９ａが判定し（ステップ３０７）、終了していなければそのまま録音を続行し、終了した場合は録音を終了する（ステップ３０８）。ついで、録音した曲名をメモリ９ｃに記憶する（ステップ３０８）。
尚、本実施例では衛星デジタル放送の例について説明したが、地上波デジタル放送でも用いることができる。
【００２７】
【発明の効果】
以上、本発明によれば、他のチャンネルで放送中の曲の付加情報に含まれているアルバム名が現在視聴している曲と同一で、且つ視聴したことがない曲を検索し、そのチャンネルに関する情報を表示部に表示するので現在視聴している曲が収録されているアルバムの他の曲を放送しているチャンネルを容易に通知することができる。
【図面の簡単な説明】
【図１】本発明の概略説明図である。
【図２】本発明第１実施例のデジタル放送受信機の構成図である。
【図３】デジタル放送のデータ構成である。
【図４】本発明第１実施例のメモリの記憶内容の説明図である。
【図５】本発明第１実施例のフローチャートである。
【図６】本発明第２実施例のデジタル放送受信機の構成図である。
【図７】本発明第２実施例のメモリの記憶内容の説明図である。
【図８】本発明第２実施例のフローチャートである。
【図９】本発明第３実施例のフローチャートである。
【符号の説明】
ＤＲ・・デジタル放送受信機
１１・・操作部
１２・・表示部
ＡＩＤ・・現在視聴している曲が収録されているアルバムの他の曲を放送しているチャンネル情報を表示する領域
【図１】
0004189944.tif 000002
【図２】
0004189944.tif 000003
【図３】
0004189944.tif 000004
【図４】
0004189944.tif 000005
【図５】
0004189944.tif 000006
【図６】
0004189944.tif 000007
【図７】
0004189944.tif 000008
【図８】
0004189944.tif 000009
【図９】
0004189944.tif 000010